(57)【特許請求の範囲】
【請求項１】
前身頃と後身頃とを含む身頃、左袖、および右袖を備える衣料の上半身部であって、
前記左袖の背面と前記右袖の背面との間に、着用者の左右の肩甲骨が互いから離れることを阻む規制部が設けられ、
前記左袖の背面と前記後身頃との間の縫合部分のうち最も下に位置する第１最下点が、前記左袖の前面と前記前身頃との間の縫合部分のうち最も下に位置する第１縫合点よりも下に配置され、
前記右袖の背面と前記後身頃との間の縫合部分のうち最も下に位置する第２最下点が、前記右袖の前面と前記前身頃との間の縫合部分のうち最も下に位置する第２縫合点よりも下に配置されている、
衣料の上半身部。
【請求項２】
前記規制部が、前記後身頃のうち、前記後身頃と前記左袖との間の境界から前記後身頃と前記右袖との間の境界までの領域を含む、請求項１に記載の衣料の上半身部。
【請求項３】
前記規制部が、前記後身頃に付加された前記後身頃とは別の生地を含む、請求項１に記載の衣料の上半身部。
【請求項４】
前記左袖は、
前記身頃の左側に繋がっている左連繋部と、
前記左袖の長さ方向において２０％伸長時に伸長力が４５ｃＮ以上となる難伸長領域と
を有し、
前記左袖の難伸長領域は、少なくとも前記左連繋部の背面に広がっており、
前記右袖は、
前記身頃の右側に繋がっている右連繋部と、
前記右袖の長さ方向において２０％伸長時に伸長力が４５ｃＮ以上となる難伸長領域と
を有し、
前記右袖の難伸長領域は、少なくとも前記右連繋部の背面に広がっており、
請求項１から請求項３までのいずれか一項に記載の衣料の上半身部。
【請求項５】
前記左袖の難伸長領域は、前記左連繋部の背面から前面にわたって広がっており、
前記右袖の難伸長領域は、前記右連繋部の背面から前面にわたって広がっている、
請求項４に記載の衣料の上半身部。
【請求項６】
前記左袖は、
前記身頃の左側に繋がっている左連繋部と、
前記左袖の長さ方向に４５ｃＮ以上の伸張力をかけても伸長率が２０％未満でしかない非伸長領域と
を有し、
前記左袖の非伸長領域は、少なくとも前記左連繋部の背面に広がっており、
前記右袖は、
前記身頃の右側に繋がっている右連繋部と、
前記右袖の長さ方向に４５ｃＮ以上の伸張力をかけても伸長率が２０％未満でしかない非伸長領域と
を有し、
前記右袖の非伸長領域は、少なくとも前記右連繋部の背面に広がっている、
請求項１から請求項３までのいずれか一項に記載の衣料の上半身部。
【請求項７】
前記左袖の非伸長領域は、前記左連繋部の背面から前面にわたって広がっており、
前記右袖の非伸長領域は、前記右連繋部の背面から前面にわたって広がっている、
請求項６に記載の衣料の上半身部。
【発明の詳細な説明】
【技術分野】
【０００１】
本発明は、衣料の上半身部に関する。
【背景技術】
【０００２】
着用者の上半身の少なくとも一部を覆うことができる衣料の上半身部が知られている（たとえば、特許文献１参照）。
【先行技術文献】
【特許文献】
【０００３】
【特許文献１】特開２０１４−１９６５８７号公報
【発明の概要】
【発明が解決しようとする課題】
【０００４】
人は、スマートフォン等の携帯機器を操作するとき、携帯機器を持つ腕が自身の正面中央側へ回るように、肩が正しい姿勢での位置よりも自身の前方へ出る姿勢を取りやすい。「正しい姿勢」とは、具体的には、平坦面に起立している人を真横から見た場合、その人の首のつけ根、肩、ひじ、くるぶしがほぼ一直線上に位置する姿勢である。両肩が前方へ出る姿勢は、頻繁に繰り返され、または長時間連続して保持された場合、巻き肩、猫背といった体形の悪化を招きかねない。「巻き肩」とは、肩甲骨が左右に広がって肩が内側へ入った体形をいう。「猫背」とは、背骨が前後に湾曲して頭が前へ出た姿勢をいう。これらの体形は肩こり等の痛みの原因にもなり得る。
【０００５】
衣料には、着用者に正しい姿勢を保たせ、またはすでに悪化した着用者の姿勢を矯正させる目的で、両袖の背面間の伸長力が強化されたものがある。強化された伸長力で、着用者の左右の肩甲骨が互いから離れることが阻まれるので、着用者は両肩が前方へ出る姿勢を取りづらい。その結果、巻き肩または猫背といった悪い姿勢を着用者が取ることが抑制される。さらに、すでに体形が悪化した着用者の姿勢が矯正される。しかし、両袖の背面間の伸長力が強すぎれば、肩甲骨の動きだけでなく腕の動きまでもが妨げられる。特に、腕を肩のまわりに回転させて下から前へ伸ばすこと（屈曲）が困難であれば、日常生活に支障を来す危険性がある。
【０００６】
本発明の目的は、上記の問題点を解決することであり、特に、両腕が正面中央側へ回るように両肩が前方へ出る姿勢を着用者に取らせづらくすると共に、日常生活に支障を来たさないようにいずれの腕も比較的容易に肩のまわりに回転させて下から前へ伸ばすことができる衣料の上半身部を提供することにある。
【課題を解決するための手段】
【０００７】
本発明の一つの観点による衣料の上半身部は、前身頃と後身頃とを含む身頃、左袖、および右袖を備えている。左袖の背面と右袖の背面との間に、着用者の左右の肩甲骨が互いから離れることを阻む規制部が設けられている。前記左袖の背面と前記後身頃との間の縫合部分のうち最も下に位置する第１最下点が、前記左袖の前面と前記前身頃との間の縫合部分のうち最も下に位置する第１縫合点よりも下に配置されている。前記右袖の背面と前記後身頃との間の縫合部分のうち最も下に位置する第２最下点が、前記右袖の前面と前記前身頃との間の縫合部分のうち最も下に位置する第２縫合点よりも下に配置されている、
【０００８】
規制部は着用者の両肩で引っ張られると、抵抗力として引張力を発生させ、着用者の左右の肩甲骨が互いから離れることを阻む。これにより、着用者は両肩が前方へ出る姿勢を取りづらい。一方、左袖の背面の第１最下点が左袖の前面の第１縫合点よりも下に配置されているため、この高さを相違させた部分の左袖の背面に、左腕を肩のまわりに回転させて下から前へ伸ばすことが比較的容易になる生地増大領域を設けることができる。また、右袖の背面の第２最下点が右袖の前面の第１縫合点よりも下に配置されているため、この高さを相違させた部分の右袖の背面においても、右腕を肩のまわりに回転させて下から前へ伸ばすことができる生地増大領域を設けることができる。これら生地増大領域が設けられる結果、規制部による引張力の機能に大きな悪影響を与えずに、着用者はいずれの腕も肩のまわりに回転させて下から前へ伸ばすことが比較的容易にできる。
【０００９】
規制部はたとえば、左右方向において２０％伸長時に伸長力が４５ｃＮ以上となる難伸長性の生地、または左右方向において４５ｃＮの伸長力を加えても伸長率が２０％未満でしかない非伸長性の生地で構成されている。ここで、「伸長力」とは、約２０℃（１８℃〜２２℃）の環境下において、幅２．５ｃｍ、長さ１０ｃｍの生地を定速伸長形引張試験機により、引張り速度３０ｃｍ／分で長さ方向に伸長させるのに必要な力をいう。この明細書には、定速伸長形引張試験機として島津製作所製ＡＧＳ−Ｘを用いて測定された伸長力の値が記載されている。
【００１０】
規制部が、後身頃のうち、後身頃と左袖との間の境界から後身頃と右袖との間の境界までに位置する領域を含んでいてもよい。すなわち、後身頃のこの領域と規制部が一体に構成されていてもよい。ここで、「一体に構成されている」とは、規制部の生地が後身頃の他の領域の生地に縫製で繋げられていることであっても、他の領域の生地と共に編まれていることであってもよい。これとは別に、規制部が、後身頃に付加された後身頃とは別の生地を含んでいてもよい。この生地は、左右両側の袖の背面と後身頃との間の境界に縫合されていてもよく、左右両側の袖の背面に縫合されていてもよい。
【００１１】
左袖は左連繋部と難伸長領域とを有してもよい。左連繋部は、身頃の左側に繋がっている領域である。難伸長領域は、左袖の長さ方向において２０％伸長時に伸長力が４５ｃＮ以上となる領域であり、少なくとも左連繋部の背面に広がっていてもよい。右袖は右連繋部と難伸長領域とを有してもよい。右連繋部は、身頃の右側に繋がっている領域である。難伸長領域は、右袖の長さ方向において２０％伸長時に伸長力が４５ｃＮ以上となる領域であり、少なくとも右連繋部の背面に広がっていてもよい。左袖の難伸長領域は左連繋部の背面から前面にわたって広がっていてもよく、右袖の難伸長領域は右連繋部の背面から前面にわたって広がっていてもよい。これらの構成によれば、左右の袖の連繋部がいずれも、伸びに応じて強い引張力を発生させるので、いずれの連繋部も規制部の引張力をほとんど、または全く減殺しない。その結果、着用者の左右の肩甲骨、上腕上部、および肩の前方への移動をより効果的に阻止することができる。
【００１２】
左袖と右袖とは難伸長領域に代えて非伸長領域を有してもよい。非伸長領域は、各袖の長さ方向に４５ｃＮ以上の伸張力をかけても伸長率が２０％未満でしかない領域である。左袖の非伸長領域は少なくとも左連繋部の背面に広がっていてもよく、右袖の非伸長領域は少なくとも右連繋部の背面に広がっていてもよい。左袖の非伸長領域は左連繋部の背面から前面にわたって広がっていてもよく、右袖の非伸長領域は右連繋部の背面から前面にわたって広がっていてもよい。これらの構成によれば、左右の袖の連繋部がいずれもほとんど伸びない、または実質上伸びないので、いずれの連繋部も規制部の引張力をほとんどまたは全く減殺しない。その結果、着用者の左右の肩甲骨、上腕上部、および肩の前方への移動をより効果的に阻止することができる。
【発明の効果】
【００１３】
本発明の上記の観点による衣料の上半身部では、着用者の左右の肩甲骨が互いから離れることを規制部が阻む。一方、左袖と身頃との間では第１縫合点が第１最下点よりも上に配置され、右袖と身頃との間では第２縫合点が第２最下点よりも上に配置されている。これにより、両脇の下では規制部の引張力が前身頃の生地の伸縮で緩和される。こうして、この衣料の上半身部は、両腕が正面中央側へ回るように両肩が前方へ出る姿勢を着用者に取らせづらくすると共に、いずれの腕も容易に肩で屈曲させることができる。
【図面の簡単な説明】
【００１４】
【図１】本発明の実施形態１による衣料の上半身部の正面図である。
【図２】図１が示す衣料の上半身部の背面図である。
【図３】図２の上部の拡大図である。
【図４】前身頃と後身頃とのうち、左袖ぐりの近傍を示す部分展開図である。
【図５】前身頃と左袖とのうち、左袖ぐりの近傍を示す部分展開図である。
【図６】後身頃と左袖とのうち、左袖ぐりの近傍を示す部分展開図である。
【図７】図１が示す衣料の上半身部の立体形状の平面図である。
【図８】本発明の実施形態２による衣料の上半身部の背面図である。
【図９】本発明の実施形態２による衣料の上半身部の第１変形例の背面図である。
【図１０】本発明の実施形態２による衣料の上半身部の第２変形例の背面図である。
【図１１】本発明の実施形態２による衣料の上半身部の第３変形例の背面図である。
【発明を実施するための形態】
【００１５】
以下、本発明の実施形態について、図面を参照しながら説明する。
《実施形態１》
【００１６】
図１、図２はそれぞれ、本発明の実施形態１による衣料の上半身部１００の正面図、背面図である。図３は図２の上部の拡大図である。なお、この明細書では、衣料の上半身部１００の着用者を基準にして前後方向と左右方向とを定める。たとえば、「左方向」は、図１では右方向に描かれ、図２では左方向に描かれる。
【００１７】
衣料の上半身部１００は、着用者の体幹上部および両上腕を包み込むように構成されている。衣料の上半身部１００には、肌着として着用されるインナーウェアと、中衣もしくは上着として着用されるアウターウェアとがある。実施形態１による衣料の上半身部１００は、半袖のシャツである。
【００１８】
衣料の上半身部１００は、身頃１１０、１２０、左袖１３０、および右袖１４０を備えている。身頃１１０、１２０は筒状であり、着用者の体幹上部を包むように構成されている。身頃は前身頃１１０および後身頃１２０を含む。前身頃１１０は、身頃のうち着用者の体幹上部の前面（胸と腹）に対向する部分であり、その前面のほぼ全体を覆う。後身頃１２０は、身頃のうち着用者の体幹上部の背面（背中）に対向する部分であり、その背面のほぼ全体を覆う。前身頃１１０と後身頃１２０とはいずれも、形状が左右対称である。左袖１３０は身頃の左側に、右袖１４０は身頃の右側に、それぞれ設けられている。両袖１３０、１４０はいずれも身頃１１０、１２０よりは細い筒状であり、着用者の左右の上腕上部を包むように構成されている。両袖１３０、１４０は、身頃１１０、１２０の左右方向における中心面ＣＮＰに対して対称である。両袖１３０、１４０は長さ方向（図１が示す矢印ＬＤＬ、ＲＤＬの方向）のサイズが自由に設定可能である。実施形態１では、両袖１３０、１４０は半袖に設定されている。その他に、両袖１３０、１４０は長袖でも七分袖であってもよい。
【００１９】
なお、衣料の上半身部１００の身頃は、前身頃１１０と後身頃１２０との２パーツに代えて、前身頃、左右の脇身頃、および後身頃の４パーツで構成されていてもよい。この場合に本発明が適用されるには、脇身頃が前身頃の一部とみなされればよい。
【００２０】
前身頃１１０と後身頃１２０とは、左脇１１３、右脇１１４、および肩１１５で縫合されている。これにより身頃は、襟ぐり１１６、裾１１７、左袖ぐり１１８、および右袖ぐり１１９を含む。襟ぐり１１６は、身頃が成す筒形の上側の開口部に相当し、裾１１７は下側の開口部に相当する。左袖ぐり１１８は、身頃の左上側に開けられた穴の縁であり、右袖ぐり１１９は、身頃の右上側に開けられた穴の縁である。左袖ぐり１１８には左袖１３０の基端部、すなわち袖山が縫合され、右袖ぐり１１９には右袖１４０の袖山が縫合されている。
【００２１】
前身頃１１０を構成する生地は伸縮性であっても、非伸縮性であってもよい。一方、後身頃１２０を構成する生地は伸縮性である。ただし、後身頃１２０のうち、少なくとも左袖１３０と右袖１４０との間の領域１２８（図２が示す細かいドット領域参照。）は、難伸長性または非伸長性の生地で構成されている。「難伸長性」とは、生地が伸びにくいこと、具体的には、左右方向において２０％伸長時に生地の伸長力が４５ｃＮ以上となることをいう。「非伸長性」とは、生地がほとんど伸びない、または実質上伸びないこと、具体的には、左右方向において４５ｃＮの伸長力を加えても生地の伸長率が２０％未満でしかないことをいう。生地の難伸長性または非伸長性により、この領域１２８は後身頃１２０の他の領域と比べ、外からの引張力に対する抵抗力が強い。この領域１２８を、以下、「規制部」と呼ぶ。規制部１２８は、後身頃１２０のうち、左脇１１３の上端ＬＷＰと右脇１１４の上端ＲＷＰとを結ぶ直線ＬＶＬよりも上方に位置する。規制部１２８の左側には左袖１３０の背面１３２が縫合され、右側には右袖１４０の背面１４２が縫合されている。これにより規制部１２８は、着用者の両肩で引っ張られると抵抗力として引張力を発生させ、着用者の左右の肩甲骨が互いから離れることを阻む。その結果、着用者は左右の肩甲骨、上腕上部、および肩が後方へ、かつ背面中央側へ引っ張られる。したがって、両腕が正面中央側へ回るように両肩が前方へ出る姿勢を着用者は取りづらい。
【００２２】
なお、規制部は後身頃１２０のうち、左袖１３０の背面１３２と右袖１４０の背面１４２との間の領域１２８に限らず、それよりも広い領域、更には後身頃１２０全体で構成されていてもよい。
【００２３】
左袖１３０と右袖１４０とは形が鏡像関係にある。したがって、以下では、左袖１３０の構造についてのみ説明する。右袖１４０の構造については、左袖１３０の構造から当業者には容易に理解されるであろう。
【００２４】
左袖１３０は、２枚の生地が袖下１３３とダーツ１３４とで筒状に縫合された構造である。ダーツ１３４は、生地がつまみ縫いされた部分であり、左袖１３０の背面１３２を左袖１３０の全長にわたって伸びている。ダーツ１３４の方向は、図３が示すように、後身頃１２０の左右方向における中心面ＣＮＰに対して角度αを成す。この角度αの範囲は好ましくは約７０°〜約１１０°、更に好ましくは約８０°〜約１００°である。ダーツ１３４により左袖１３０の背面１３２が立体的な丸みを帯びるので、着用者の左腕によくフィットする。その結果、規制部１２８の引張力にかかわらず、左袖１３０が自然には、着用者の左腕に沿って肩側へずり上がりにくい。
【００２５】
左袖１３０は袖口１３５と左連繋部１３６とを含む。袖口１３５は、左袖１３０が成す筒形の先端の開口部に相当し、左連繋部１３６はその筒形の基端の開口部に相当する。左連繋部１３６は袖山ともいい、左袖１３０のうち、着用者の左肩を覆う部分であり、全体が左袖ぐり１１８に縫合されている。
【００２６】
左連繋部１３６のうち少なくとも背面（図３が示す粗いドット領域参照。）は難伸長領域または非伸長領域である。「難伸長領域」とは、生地が伸びにくい領域、具体的には、左袖１３０の長さ方向において４５ｃＮ以上６００ｃＮ以下の伸長力を加えると２０％伸長する領域をいう。この伸長力は、左袖１３０の長さ方向の２０％伸長時に６０ｃＮ以上５００ｃＮ以下となるものが好ましく、左袖１３０の長さ方向の２０％伸長時に８０ｃＮ以上４００ｃＮ以下となるものがより好ましい。「非伸長領域」とは、生地がほとんど、または実質上伸びない領域、具体的には、左袖１３０の長さ方向に４５ｃＮの伸長力を加えても伸長率が０％から２０％未満まででしかない領域をいう。好ましくは、非伸長領域は、左袖１３０の長さ方向に４５ｃＮの伸長力を加えても伸長率が０％から１０％未満まででしかない領域である。左袖１３０の難伸長領域または非伸長領域は左連繋部１３６の背面から前面にわたって広がっていてもよい。これらの構成によれば、左連繋部１３６が外からの引張力に対して強い抵抗力を発生させるので、左連繋部１３６が規制部１２８の引張力をほとんど、または全く減殺しない。その結果、着用者の左の肩甲骨、上腕上部、および肩の前方への移動をより効果的に阻止することができる。
【００２７】
図２、図３が示すように、左袖１３０の背面１３２と後身頃１２０との間の縫合部分のうち最も下に位置する点ＬＷＰ（以下、「第１最下点」という。）が、左袖１３０の前面１３１と前身頃１１０との間の縫合部分のうち最も下に位置する点ＬＳＰ（以下、「第１縫合点」という。）（第１縫合点は脇下付近の縫合部分である）よりも、距離ＬＵＰだけ下に配置される。この高低差の距離ＬＵＰは好ましくは１ｃｍ以上２０ｃｍ以下である。この高さを相違させた部分の距離ＬＵＰにより、左袖１３０の背面１３２の下側において、左腕を肩のまわりに回転させて下から前へ伸ばすことができる生地増大領域を設けることができる。この結果、規制部１２８の引張力の機能に大きな悪影響を与えずに、着用者は左腕を肩のまわりに回転させて下から前へ伸ばすことが比較的容易にできる。
【００２８】
図４は、前身頃１１０と後身頃１２０とのうち、左袖ぐり１１８の近傍を示す部分展開図である。なお、右袖ぐり１１９の近傍の部分展開図は、図４の左右を反転させた図に等しい。したがって、以下では左袖ぐり１１８について説明する。その説明が右袖ぐり１１９についても援用されることは、当業者には自明であろう。
【００２９】
前身頃１１０と後身頃１２０との間の縫合が解かれると、左袖ぐり１１８は前部３１０と後部３２０とに分かれる。左袖ぐり１１８の前部３１０は前身頃１１０の左上側（図４では右上側）に位置し、左抉り部３１１と左脇上部３１２とを含む。左抉り部３１１は、前身頃１１０の左上角を抉り取った跡のような曲線形状であり、左袖１３０の前面１３１と縫合される。左脇上部３１２は、身頃の左脇１１３の上端を構成する部分であり、左袖１３０の背面１３２と縫合される。左袖ぐり１１８の後部３２０は後身頃１２０の左上側に位置し、後身頃１２０の左上角を抉り取った跡のような曲線形状であり、その全体が左袖１３０の背面１３２と縫合される。
【００３０】
図５は、前身頃１１０と左袖１３０とのうち、左袖ぐり１１８の近傍を示す部分展開図である。図６は、後身頃１２０と左袖１３０とのうち、左袖ぐり１１８の近傍を示す部分展開図である。なお、右袖ぐり１１９の近傍の部分展開図は、図５、図６の左右を反転させた図に等しい。したがって、以下では、左袖ぐり１１８と左袖１３０とについて説明する。その説明が右袖ぐり１１９と右袖１４０とについても援用されることは、当業者には自明であろう。
【００３１】
左袖１３０は、袖上部４１０と袖下部４２０とが筒状に縫合された構造である。袖上部４１０は左袖１３０の前面１３１の全体と背面１３２の上部とを成し、袖下部４２０は左袖１３０の背面１３２の下部を成す。袖上部４１０と袖下部４２０との間の縫合線の一方は左袖１３０の袖下１３３に沿って伸び、他方はダーツ１３４である（図３参照）。
【００３２】
袖上部４１０は周囲に、前袖山線４１１、後袖山線４１２、袖口端４１３、袖下線４１４、縫合線４１５を含む。袖下部４２０は周囲に、前袖山線４２１、後袖山線４２２、袖口端４２３、袖下線４２４、縫合線４２５を含む。袖上部４１０の前袖山線４１１が前身頃１１０の左抉り部３１１に縫合され、袖下部４２０の前袖山線４２１が前身頃１１０の左脇上部３１２に縫合される。袖上部４１０の後袖山線４１２と袖下部４２０の後袖山線４２２とは、後身頃１２０の左袖ぐりの後部３２０に縫合される。袖上部４１０の袖下線４１４と袖下部４２０の袖下線４２４とが互いに縫合され、左袖１３０の袖下１３３を形成する（図２、図３参照）。袖上部４１０の縫合線４１５と袖下部４２０の縫合線４２５とが互いに縫合され、左袖１３０のダーツ１３４を形成する。以上の結果、袖上部４１０の袖口端４１３と袖下部４２０の袖口端４２３とが左袖１３０の袖口１３５を形成する。
【００３３】
左袖ぐりの後部３２０のうち、その両端ＬＫＰ、ＬＷＰを結ぶ直線ＢＬＮから最も遠くに位置する部分ＭＤＰを「最深部」という（図６参照）。左袖ぐりの後部３２０の最深部ＭＤＰは後身頃１２０の左肩１１５のうち最も左側の部分、すなわち左袖ぐりの後部３２０の上端ＬＫＰよりも右側に位置する。左袖ぐりの後部３２０のこのような大きな曲がりに比べ、左袖１３０の後袖山線４１２、４２２は曲がりが小さい。すなわち、左袖１３０が後身頃１２０に縫合される前、後袖山線４１２、４２２の幅ＳＷＤが左袖ぐりの後部３２０の幅ＢＷＤよりも小さい：ＳＷＤ＜ＢＷＤ。ここで、後袖山線４１２、４２２の幅ＳＷＤは、それら全体の両端ＬＫＰ、ＬＷＰを結ぶ直線ＳＬＮから後袖山線４１２、４２２までの距離の最大値であり、左袖ぐりの後部３２０の幅ＢＷＤは、その両端ＬＫＰ、ＬＷＰを結ぶ直線ＢＬＮから最深部ＭＤＰまでの距離である。これらの幅ＳＷＤ、ＢＷＤの関係により、後袖山線４１２、４２２は右方向に引き伸ばされなければ左袖ぐりの後部３２０には届かない。その結果、左袖１３０は後身頃１２０に縫合されると、後身頃１２０よりも後方へ自然に傾く。
【００３４】
図７は、衣料の上半身部１００の立体形状の平面図である。衣料の「立体形状」とは、その衣料のいずれの部分をも伸長させることなく、かつ折り曲げることもなく、膨らませた状態における衣料の３次元的な形状を意味する。立体形状は一般に、標準的な人体の形状に合わせて、その形状を包み込むように設計される。図７が示すように、衣料の上半身部１００の立体形状において、左連繋部１３６の方向は標準的な方向よりも後方へ傾いている。これにより左袖１３０の全体の立体形状が、標準的な人体の左腕を包む際の立体形状（図７の示す２点鎖線ＶＳＬ参照。）よりも角度θだけ後方（左斜め後方）へ傾いている。右袖１４０も同様である。両袖１３０、１４０がこのように後方へ傾く結果、着用者は左右の肩甲骨、上腕上部、および肩が後方へ、かつ背面中央側へ引っ張られる。したがって、両腕が正面中央側へ回るように両肩が前方へ出る姿勢を着用者は取りづらい。
《実施形態２》
【００３５】
本発明の実施形態１による衣料の上半身部１００では、後身頃１２０の規制部１２８が後身頃１２０の他の領域と一体に編み込まれている。しかし、これに限らず、規制部は、後身頃１２０に付加された別の生地で構成されていてもよい。
【００３６】
図８は、本発明の実施形態２による衣料の上半身部５００の背面図である。この上半身部５００は、実施形態１によるもの１００と同様、半袖のシャツである。なお、この上半身部５００は長袖でも七分袖であってもよい。この上半身部５００では更に、後身頃５２０の全体が前身頃５１０と同程度の伸縮性を有する一方、規制部５２８が、後身頃５２０に付加された別の生地で構成されている。規制部５２８の生地は難伸長性または非伸長性である。規制部５２８の生地は左右方向に長い矩形状であり、左右方向の両端５２１、５２２が左右両側の袖５３０、５４０の背面５３２、５４２と後身頃５２０との間の境界よりも内側に縫合されている。このような規制部５２８が後身頃５２０に付加されているので、着用者の左右の肩甲骨が互いから離れることは阻止される。すなわち、左右の上腕上部が正面中央側へ回るように左右の肩が前方に出る姿勢を、着用者は取りづらい。
【００３７】
図９が示すように、規制部５２８の生地の両端５２１、５２２は左右両側の袖５３０、５４０の背面５３２、５４２に縫合されていてもよい。図１０が示すように、規制部５２８の生地の両端５２１、５２２はそれぞれ左袖ぐり５２１、右袖ぐり５２２と交差して、左右両側の袖５３０、５４０の背面５３２、５４２と後身頃５２０との両方に縫合されていてもよい。規制部は単一の生地が付加されたものには限られず、複数枚の生地から構成されていてもよい。図１１が示すように、規制部として２枚の帯状の生地５６８が交差するように付加されていてもよい。これらの生地５６８は互いに平行に配置されてもよい。
【００３８】
上述の教示を考慮すれば、本発明が多くの変更形態および変形形態をとり得ることは明らかである。したがって、本発明が、添付の特許請求の範囲内において、本明細書に記載された以外の方法で実施され得ることを理解されたい。
【要約】
左袖の背面と右袖の背面との間に、着用者の左右の肩甲骨が互いから離れることを阻む規制部が設けられている。左袖の前面と前身頃との間の縫合部分のうち最も下に位置する第１縫合点が、左袖の背面と身頃との間の境界のうち最も下に位置する第１最下点よりも上に配置されている。右袖の前面と前身頃との間の縫合部分のうち最も下に位置する第２縫合点が、右袖の背面と身頃との間の境界のうち最も下に位置する第２最下点よりも上に配置されている。【図１】
0006727639.tif 000002
【図２】
0006727639.tif 000003
【図３】
0006727639.tif 000004
【図４】
0006727639.tif 000005
【図５】
0006727639.tif 000006
【図６】
0006727639.tif 000007
【図７】
0006727639.tif 000008
【図８】
0006727639.tif 000009
【図９】
0006727639.tif 000010
【図１０】
0006727639.tif 000011
【図１１】
0006727639.tif 000012